(57)【要約】【課題】 効果的にアクセスできるように記録媒体に複数の静止画像を記録して、その管理情報を生成して記録するそのファイル構造を提供する。【解決手段】本発明は、再記録可能記録媒体に記録するデータのファイル構造に係り、各再生リストファイルは、複数のプレーアイテムを含むファイル構造であって、コーディング方式を含む属性情報が、各プレーアイテムに記録される。このように記録された属性情報を利用して、記録された数多くの静止画像中から所望する静止画像を容易でかつ速く探すことができるようになる。【選択図】  図４
2008005513.tif 000002
【特許請求の範囲】
【請求項１】
再生リストファイルを含む第１のディレクトリ（ＰＬＡＹＬＩＳＴ）と、
クリップ情報ファイルを含む第２のディレクトリ（ＣＬＩＰＩＮＦ）と、
ストリームファイルを含む第３のディレクトリ（ＳＴＲＥＡＭ）と
を含む複数のディレクトリから構成され、
各再生リストファイルは、複数のプレーアイテムを含むファイル構造であって、
コーディング方式を含む属性情報が、各プレーアイテムに記録される
ことを特徴とするファイル構造。
【請求項２】
前記属性情報は、サンプリング比率を含むことを特徴とする請求項１に記載のファイル構造。
【請求項３】
前記属性情報は、ピクチャデータのためのものであり、縦横比を含むことを特徴とする請求項１または２記載のファイル構造。
【請求項４】
前記属性情報は、ピクチャデータのためのものであり、解像度を含むことを特徴とする請求項１乃至３の何れか１項に記載のファイル構造。
【請求項５】
前記属性情報は、オーディオデータのためのものであり、チャネル数を含むことを特徴とする請求項１乃至４の何れか１項に記載のファイル構造。
【請求項６】
前記属性情報は、オーディオデータのためのものであり、量子化情報を含むことを特徴とする請求項１乃至５の何れか１項に記載のファイル構造。
【請求項７】
前記属性情報は、製作者の識別情報、製品モデル名、および、レコーディングソースを含むことを特徴とする請求項１乃至６の何れか１項に記載のファイル構造。
【請求項８】
各プレイリストは、再生リスト一般情報（ＰｌａｙＬｉｓｔ＿ＧＩ）をさらに含むことを特徴とする請求項１乃至７の何れか１項に記載のファイル構造。
【請求項９】
各プレーアイテムは、記録されたファイルに該当するディレクトリ名を含むことを特徴とする請求項１乃至８の何れか１項に記載のファイル構造。
【請求項１０】
各プレーアイテムは、再生アイテムタイプを含むことを特徴とする請求項１乃至９の何れか１項に記載のファイル構造。
【請求項１１】
各プレーアイテムは、ファイル個数を含むことを特徴とする請求項１乃至１０の何れか１項に記載のファイル構造。
【請求項１２】
各プレーアイテムは、各ファイルのファイル名及びファイル属性を含むことろ特徴とする請求項１乃至１１の何れか１項に記載のファイル構造。
【請求項１３】
前記再生リストファイルは、動画像のプレーアイテムを含むことを特徴とする請求項１乃至１２の何れか１項に記載のファイル構造。
【請求項１４】
前記再生リストファイルは、静止画像のプレーアイテムを含むことを特徴とする請求項１乃至１３の何れか１項に記載のファイル構造。
【請求項１５】
前記再生リストファイルは、タイトル管理情報を含むことを特徴とする請求項１乃至１４の何れか１項に記載のファイル構造。
【請求項１６】
前記クリップ情報ファイルは、動画ストリーム管理情報および動画属性情報に関する情報を含むことを特徴とする請求項１乃至１５の何れか１項に記載のファイル構造。
【請求項１７】
前記ストリームファイルは、実際の動画ストリームファイルを含むことを特徴とする請求項１乃至１６の何れか１項に記載のファイル構造。
【請求項１８】
前記第１のディレクトリ、前記第２のディレクトリおよび前記第３のディレクトリは、ルートディレクトリの下のサブディレクトリに格納されることを特徴とする請求項１乃至１７の何れか１項に記載のファイル構造。
【発明の詳細な説明】
【技術分野】
【０００１】
本発明は、再記録可能記録媒体に記録する静止画像のファイル構造に関する。
【背景技術】
【０００２】
最近では高画質の動画ビデオデータまたは高音質のオーディオデータを長時間記録することができる大容量高密度光ディスクであるＤＶＤが開発されて市場に発表された。商用化され広く普及することが期待されている。ＤＶＤの種類には、再生専用のＤＶＤ−ＲＯＭ、１回記録可能なＤＶＤ−Ｒ、そして再記録可能なＤＶＤ−ＲＡＭまたはＤＶＤ−ＲＷなどがある。ＤＶＤ−ＲＡＭ、ＤＶＤ−ＲＷ等に動画データ及びオーディオデータを記録するための記録フォーマットに対する規格化作業が進行中である。
【０００３】
一方、高画質の静止画像と、その静止画像に対応するデジタルオーディオデータを格納できる比較的大容量のメモリなどを装着したデジタルスチルカメラ（ＤＳＣ）が開発されて市場に発表されている。広く商用化されることと期待されている。このときの静止画像は、ＪＰＥＧ方式またはＴＩＦＦ方式のフォーマットを有し、オーディオデータは、ＰＣＭ方式またはｕ−Ｌａｗ  ＰＣＭ方式、またはＩＭＡ−ＡＤＰＣＭ方式のフォーマットを有する。
【０００４】
デジタルスチルカメラにより記録される静止画とオーディオデータは、広く知られたようにＤＣＦ（Design rule for Camera File system）方式のファイル構造を有する。ＤＣＦファイル構造は、図１に示したように、ルート（ＲＯＯＴ）ディレクトリの下の最上位にＤＣＩＭ（Ｄｉｇｉｔａｌ  Ｃａｍｅｒａ  ＩＭａｇｅｓ）ディレクトリを有し、ＤＣＩＭディレクトリの下には、相互に重複しない３ケタの一連番号、例えば１００ないし９９９中いずれか一つと、ユーザーにより任意に指定できる５ケタの文字が組合された総８ケタの名前を有する最大９００個のディレクトリを有する。
【０００５】
この８ケタの名前を有する任意のディレクトリ、例えば、図１の‘１００ＡＢＣＤＥ’ディレクトリには、ユーザーにより任意に指定できる４ケタの文字と、他の属性のファイルの場合には相互に重複しない４ケタの一連番号が組合された総８ケタの名前を有する複数のファイルを記録できる。このファイルは、ＪＰＥＧ方式の記録フォーマットを有する静止画像ファイル*．ＪＰＧ、ＴＩＦＦ方式の記録フォーマットを有する静止画像ファイル*．ＴＩＦ、ＰＣＭ方式、ｕ−Ｌａｗ  ＰＣＭ方式、またはＩＭＡ−ＡＤＰＣＭ方式の記録フォーマットを有するウェイブオーディオファイル*．ＷＡＶなどである。ファイルの属性が異なる場合、すなわち、拡張子が相異なった場合には同一のファイル名を有することができる。これは任意の静止画像に対してオーディオをダビングする場合にファイル名を同一にすることにより相互に連携できるようにするためである。
【０００６】
一方、デジタルビデオレコーダにより記録されるビデオ及びオーディオデータは、図２に示したようなファイル構造で記録される。図２のファイル構造は、ルートディレクトリの下の最上位にＤＶＲディレクトリを有し、前記ＤＶＲディレクトリの下には、メニュー（Ｍｅｎｕ）データ及びマーク（Ｍａｒｋ）データを格納しているメニューファイルｍｅｎｕ．ｔｄａｔ及びマークファイルｍａｒｋ．ｔｄａｔが記録され、またそのメニューファイル及びマークファイル内のデータを指示するためのインデックスファイルｍｅｎｕ．ｔｉｄｘ、ｍａｒｋ．ｔｉｄｘなどが含まれる。
【０００７】
そして、ＤＶＲディレクトリの下には、タイトル管理（ＴｉｔｌｅＭａｎａｇｅｍｅｎｔ）情報、動画プレーアイテム（ＰｌａｙＩｔｅｍ−ｍｏｖｉｅ）及び静止画像プレーアイテム（ＰｌａｙＩｔｅｍ−ｓｔｉｌｌ）情報を含んでいるＰｌａｙＬｉｓｔファイル*．ｒｐｌｓ、*．ｖｐｌｓを含めて記録されるＰＬＡＹＬＩＳＴディレクトリと、動画ストリーム管理（Movie Stream Management）及び動画属性（Movie Attributes）情報などを含んでいるクリップ情報（Clip Information）ファイル*．ｃｌｐｉを含めて記録されるＣＬＩＰＩＮＦディレクトリと、実際の動画ストリームファイル*．ｍ２ｔｓを含めて記録されるＳＴＲＥＡＭディレクトリが含まれている。
【０００８】
ところで、デジタルスチルカメラを利用して図１と同一ファイル構造の下に獲得された数多くの静止画像は、その格納容量の限界から大容量の記録媒体に移されて保管される。したがって、大容量の記録媒体に記録することができるデジタルビデオレコーダを通して、獲得された数多くの静止画像を数回に分けて記録媒体に記録するので、デジタルビデオレコーダは数多くの静止画像を効果的に記録する必要性がある。
【発明の開示】
【発明が解決しようとする課題】
【０００９】
本発明は前記のような実情を勘案して創作されたものであり、効果的にアクセスできるように記録媒体に複数の静止画像を記録して、その管理情報を生成して記録するそのファイル構造を提供することが目的である。
【課題を解決するための手段】
【００１０】
前記のような目的を達成するための本発明によるファイル構造は、再生リストファイルを含む第１のディレクトリ（ＰＬＡＹＬＩＳＴ）と、クリップ情報ファイルを含む第２のディレクトリ（ＣＬＩＰＩＮＦ）と、ストリームファイルを含む第３のディレクトリ（ＳＴＲＥＡＭ）とを含む複数のディレクトリから構成され、各再生リストファイルは、複数のプレーアイテムを含むファイル構造であって、コーディング方式を含む属性情報が、各プレーアイテムに記録されることを特徴とする。
【発明の効果】
【００１１】
前記のようになされる本発明によるファイル構造は、記録された数多くの静止画像中から所望する静止画像を容易にかつ速く探すことが出来る。
【発明を実施するための最良の形態】
【００１２】
以下、本発明による再記録可能記録媒体の静止画像記録方法に対する望ましい実施形態に対して、添付された図面を参照して詳細に説明する。
【００１３】
図３は、本発明による再記録可能記録媒体への静止画像記録方法が適用される光ディスク装置の構成を示したものである。
【００１４】
図３のディスク装置は、例えばデジタルビデオレコーダであり、再記録可能記録媒体にビデオ及びオーディオデータと、再生制御のための管理情報（Navigation Information）を記録する。
【００１５】
図３のディスク装置は、第１及び第２スイッチ１０、１１、静止画像ビデオエンコーダ部１２、静止画像オーディオエンコーダ部１３、動画ビデオエンコーダ１４、動画オーディオエンコーダ部１５、ＭＰＥＧ２多重化装置１６、フォーマット構成部１７、ＤＶＲエンコーダ信号処理部１８が入力信号に対して構成され、第３及び第４スイッチ３０、３１、静止画像ビデオデコーダ部３２，静止画像オーディオデコーダ部３３、動画ビデオデコーダ部３４、動画オーディオデコーダ部３５、ＭＰＥＧ２多重分離装置３６、パーサ３７、ＤＶＲデコーダ信号処理部３８が出力信号に対して構成され、全体的なシステム制御のための制御部１９が含まれる。
【００１６】
第１及び第２スイッチ１０、１１は、外部から入力されるビデオデータとオーディオデータを、制御部１９のスイッチング制御により静止画像ビデオ及びオーディオエンコーダ部１２、１３に選択出力したり、または動画ビデオ及びオーディオエンコーダ部１４、１５に選択出力する。
【００１７】
一方、静止画像ビデオ及びオーディオエンコーダ部１２、１３は、デジタルスチルカメラと同じく、第１及び第２スイッチ１０、１１を通して選択出力されるビデオデータは、ＪＰＥＧ方式またはＴＩＦＦ方式のフォーマットで、オーディオデータはＰＣＭ方式、ｕ−Ｌａｗ  ＰＣＭ方式またはＩＭＡ−ＡＤＰＣＭ方式のフォーマットでエンコーディングする。
【００１８】
動画ビデオ及びオーディオエンコーダ部１４、１５は、第１及び第２スイッチ１０、１１を通して選択出力されるビデオデータを、ＭＰＥＧ２方式のフォーマットで、オーディオデータをＡＣ−３方式、ＭＰＥＧ  １  Ｌａｙｅｒ  ２方式またはＬＰＣＭ方式のフォーマットでエンコーディングする。ＭＰＥＧ２多重化装置１６は、動画ビデオ及びオーディオエンコーダ部１４、１５を通して各々エンコーディングされた動画ビデオ及びオーディオデータをＭＰＥＧ２ストリームで多重化してフォーマット構成部１７に出力する。
【００１９】
ユーザーは、動画に対してデジタルビデオレコーダが支援する静止画像記録モードを選択することができ、この場合には動画ビデオ及びオーディオエンコーダ部１４、１５から出力されるＭＰＥＧ２映像データ及びＡＣ−３、ＭＰＥＧ  １  Ｌａｙｅｒ  ２またはＬＰＣＭ方式のオーディオデータは、ＭＰＥＧ２多重化装置１６を経ないで静止画像フォーマットに適した形態で記録されるためにただちに前記フォーマット構成部１７に送られる。
【００２０】
一方、フォーマット構成部１７は、静止画像ビデオ及びオーディオエンコーダ部１２、１３によりエンコーディングされた静止画像のビデオデータとオーディオデータが入力される場合、その静止画像のビデオデータとオーディオデータを再記録可能高密度記録媒体に適した記録大きさに構成すると同時に、記録用ヘッダ情報を付加した後、ＤＶＲエンコーダ信号処理部１８に出力する。またフォーマット構成部１７はそのフォーマッティングされた静止画像のビデオデータとオーディオデータをサーチ及び再生制御するための管理情報を生成して、制御部１９に提供する。
【００２１】
フォーマット構成部１７は、上述したように動画データから構成した静止画像のビデオデータとオーディオデータに対しても、大きさ再構成及び管理情報生成の作動を同様に行う。
【００２２】
動画ビデオ及びオーディオエンコーダ部１４、１５によりエンコーディングされた動画のビデオデータとオーディオデータが入力されるか、ＭＰＥＧ２多重化装置１６により多重化されたＭＰＥＧ２ストリームとして入力される場合、フォーマット構成部１７は、その動画のビデオデータとオーディオデータ、またはＭＰＥＧ２ストリームを選択して再記録可能記録媒体に適した記録大きさで構成すると同時に、記録用ヘッダ情報を付加して、ＤＶＲエンコーダ信号処理部１８に出力する。またそのフォーマッティングされた動画ビデオデータとオーディオデータをサーチ及び再生制御するための管理情報を生成して、制御部１９に提供する。
【００２３】
一方、ＤＶＲエンコーダ信号処理部１８は、フォーマッティングされた静止画像または動画のビデオデータとオーディオデータをエラー訂正コードＥＣＣブロックで構成した後に記録用信号に変換して再記録可能記録媒体に記録する。このとき、制御部１９は、ＤＶＲエンコーダ信号処理部１８を通して記録される静止画像ビデオデータと、それに関連したオーディオデータまたはサムネイルなどを、図１を参照して前述したＤＣＦファイル構造の下に記録させたり、または図２を参照して前述したことがあるＤＶＲファイル構造の下に記録させる。
【００２４】
そして、このように記録された静止画像などをアクセスするための管理情報を生成して、デジタルビデオレコーダで決められている管理情報フィールド内に記録する。
【００２５】
また、ビデオデータ及び／またはオーディオデータの記録途中または記録完了後にフォーマット構成部１７から受けた管理情報及び自身が生成した管理情報をＤＶＲエンコーダ信号処理部１８を通して再記録可能記録媒体に付加記録する。
【００２６】
このような静止画像などの記録方法に対して詳細に説明すれば次のとおりである。
【００２７】
図４ないし図６は、本発明の第１実施形態による静止画像記録過程と、それによって記録管理される管理情報を示したものである。制御部１９は、再記録可能な高密度記録媒体に記録される静止画像と、その静止画像に関連したオーディオまたはサムネイルなどを、図４に示したように、デジタルスチルカメラＤＳＣが採択しているＤＣＦファイル構造で記録する。記録されるファイルとファイルが記録されるディレクトリはＤＣＦのルールによってその名前が定まる。
【００２８】
すなわち、ディレクトリ名は、相互に重複しない３ケタの一連番号、１００ないし９９９中いずれか一つと、ユーザーにより任意に指定できる５ケタの文字が組合された総８ケタの名前を有する。一方、任意の１ディレクトリ内に含めて記録される静止画像ファイルと、その静止画像に関連したオーディオファイル等は、ユーザーにより任意に指定できる４ケタの文字及び相互に重複できない４ケタの一連番号が組合された総８ケタのファイル名を有する。
【００２９】
図４の記録例を見れば、‘１００ＦＡＭＩＬ’ディレクトリには、‘ＭＡＭＡ０００１．ＪＰＧ’のファイル名を有する静止画像ファイルと、‘ＭＡＭＡ０００２．ＪＰＧ’のファイル名を有する静止画像ファイルと、それと関連した‘ＭＡＭＡ０００２．ＷＡＶ’のファイル名を有するリアルタイムオーディオファイル、そして‘ＭＡＭＡ０００２．ＤＵＢ’のファイル名を有するダビングオーディオファイルが記録されている。
【００３０】
ＤＣＦルールによって、同一ファイル名のファイルは、一つのＤＣＦオブジェクト（一つのオブジェクトは相互連関されたファイルであることを意味する）になるので、‘ＭＡＭＡ０００１．ＪＰＧ’はファイル一つで第１ＤＣＦオブジェクトになって、‘ＭＡＭＡ０００２．ＪＰＧ’、‘ＭＡＭＡ０００２．ＷＡＶ’、‘ＭＡＭＡ０００２．ＤＵＢ’ファイルは第２ＤＣＦオブジェクトになる。
【００３１】
一方、前記のようにＤＣＦファイル構造で記録された静止画とオーディオのファイルなどをアクセスするための管理情報を、図５に示したように、デジタルビデオレコーダにおける再生リスト（ＰｌａｙＬｉｓｔ）に含まれて記録されるプレーアイテム（ＰｌａｙＩｔｅｍ）内に記録する。再生リストファイル*．ｒｐｌｓ、*．ｖｐｌｓは、図６に示したような構造を有し、再生リストタイプ（ＰｌａｙＬｉｓｔ  ｔｙｐｅ）と、プレーアイテムの個数（ｎｕｍｂｅｒ  ｏｆ  ＰｌａｙＩｔｅｍ）、そして生成時間（Ｃｒｅａｔｅｄ  Ｔｉｍｅ）情報などを含めて記録される再生リスト一般情報ＰｌａｙＬｉｓｔ＿ＧＩと、複数のプレーアイテムを含んで構成される。
【００３２】
プレーアイテム内に記録されたファイル名に該当する静止画像などのファイルは、図５に示したようにファイルシステムを通してその位置がサーチされる。
【００３３】
そして、プレーアイテムには、プレーアイテムタイプ（ＰｌａｙＩｔｅｍ  ｔｙｐｅ）、関連ファイルが記録されたディレクトリ名（ｄｉｒｅｃｔｏｒｙ＿ｎａｍｅ）、ファイル個数、各ファイルのファイル名（ｆｉｌｅ  ｎａｍｅ）及びファイル属性（ａｔｔｒｉｂｕｔｅ）に対する情報を含めて記録され、ファイル属性情報には、静止画像及びそれに連関されたオーディオに対する属性に対する情報が記録される。
【００３４】
静止画像の多様な属性情報としては、静止画像のコーディング方式（ＪＰＥＧ、ＴＩＦＦ、ＭＰＥＧ．．）、縦横比、ＹＣｒＣｂサンプリング（４：２：２、４：２：０）、解像度（１９２０×１０８０−ＨＤ−ＴＶ、１２８０×９６０−ＳＸＧＡ、１０２４×７６８−ＸＧＳ．．）などがあり、オーディオの属性情報としては、オーディオのコーディング方式（ＰＣＭ、ＩＭＡ−ＡＤＰＣＭ、ＡＣ−３、ＭＰＥＧ１−Ｌ２）、サンプリング比率（８ｋＨｚ、１１．０２５ｋＨｚ、４８ｋＨｚ、９６ｋＨｚ、．．）、オーディオチャネル数、量子化情報どがある。
【００３５】
さらに、製作者の識別情報、製品モデル名、そしてレコーディングソースなどを示すためのメーカー属性情報と、元の生成時間情報などを示すための時間属性情報と、静止画像に対する属性情報とほとんど同様なサムネイル属性情報、そしてオーディオ属性情報とほとんど同様なダビングオーディオ属性情報、それ以外のまた他の属性情報として、ＤＣＦフォーマットまたはＥＸＩＦフォーマットで定義された主要情報がファイル属性情報フィールドに記録することができる。
【００３６】
したがって、前記のように記録された静止画像に対する情報を利用して、制御部１９は、図５に示したように、再生リストに含まれた複数のプレーアイテム中の一つのプレーアイテムが選定されると、それに連結されている静止画像と連関されたオーディオファイルなどを、プレーアイテム情報フィールドに記録されたディレクトリ名とファイル名などを参照して、ファイルシステムを通して探してプレゼンテーションできるようになる。
【００３７】
参考までに、静止画像のための属性情報は、各静止画像とそれに関連したオーディオファイル内に各々記録されるが、デジタルスチルカメラの規格が採用された応用製品（ＤＳＣ−ｓｐｅｃｉｆｉｃ  ａｐｐｌｉｃａｔｉｏｎ）は、静止画像とそれに関連したオーディオファイル内に各々記録された属性情報を読出して利用するようになり、デジタルビデオレコーダの規格が採用された応用製品（ＤＶＲ−ｓｐｅｃｉｆｉｃ  ａｐｐｌｉｃａｔｉｏｎ）は、プレーアイテム内に含めて記録された属性情報を読出して利用するようになる。
【００３８】
図７ないし図１０は、本発明の第２実施形態による静止画像記録過程と、それによって記録管理される管理情報を示したものである。制御部１９は、静止画像と、それに関連したオーディオまたはサムネイルなどを、図７に示したように、ＤＶＲファイル構造内に記録する。そして、静止画像をアクセスするための管理情報を、ＤＶＲディレクトリの下に、本発明で新しく定義されたＳＴＩＬＬＩＮＦディレクトリに静止画像情報ファイル*．ｓｔｌｉとして記録する。
【００３９】
各静止画像情報ファイルは、静止画像などを含む各静止画像ファイルと対応し、静止画像ファイル内の一つの静止画像客体に対応して静止画像情報ファイル内に一つの静止画像エントリーＳＥ＿ｅｎｔｒｙが生成する。
【００４０】
相互に対応する静止画像ファイルと静止画像情報ファイルのファイル名は、異なる拡張子（例：*．ＳＴＬ、*．ｓｔｌｉ）に同一のファイル名を用いる。したがって、ファイル名により相互に連係されていることが分かる。
【００４１】
‘ＳＴＩＬＬＩＮＦ’ディレクトリ内に記録された静止画像情報ファイルに対する情報、例えばファイル名が、デジタルビデオレコーダにおいて定義している再生リストに含めて記録されるプレーアイテム内に記録されて、図９に示したように、静止画像情報ファイルと各プレーアイテムが相互に連結される。
【００４２】
再生リストファイル*．ｒｐｌｓ、*．ｖｐｌｓには、図９に示したように、再生リスト一般情報ＰｌａｙＬｉｓｔ＿ＧＩと複数のプレーアイテムで構成される。再生リスト一般情報には、再生リストタイプと、プレーアイテムの個数、そして生成時間情報などが記録される。
【００４３】
そして、プレーアイテムには、連結された静止画像情報ファイル名（ＳＴＬＩ  ｆｉｌｅ  ｎａｍｅ）、プレーアイテムタイプ、開始ピクチャ番号及び終了ピクチャ番号に対する情報などが記録されている。
【００４４】
そして、静止画像情報ファイル*．ｓｔｌｉは、図１０に示したように、静止画像情報の一般情報Ｓｔｉｌｌｉｎｆｏ＿ＧＩと、複数の静止画像エントリーグループ情報サーチポインターＳＥＧＩ＿ＳＲＰ＃１、＃２、＃３．．、そして静止画像エントリーグループ情報（ＳＥＧＩ＃１、＃２．．）と静止画像エントリーマップＳＥ＿ｍａｐを含み、静止画像情報の一般情報には、静止画像のタイプ情報と、記録時間（ｒｅｃｏｒｄｉｎｇ  ｔｉｍｅ）情報、そしてデータ開始アドレス、ピクチャ個数及び静止画像エントリーグループ情報個数に対する情報が記録される。
【００４５】
静止画像エントリーグループ情報サーチポインターＳＥＧＩ＿ＳＲＰは、少なくとも一つ以上の静止画像エントリーに対するサーチ情報が含まれる静止画像エントリーグループ情報ＳＥＧＩを連係指示するためのものである。静止画像エントリーグループ情報サーチポインターＳＥＧＩ＿ＳＲＰにより指示される静止画像エントリーグループ情報ＳＥＧＩは、静止画像エントリーグループ情報の一般情報ＳＥＧＩ＿ＧＩと、属性テーブル、そしてそのグループに属する静止画像エントリーの個数に対する情報を含む。属性情報には、前述したように多様ないろいろなタイプの属性情報を記録できる。
【００４６】
また、静止画像エントリーマップＳＥ＿ｍａｐの各静止画像エントリーＳＥ＿ｅｎｔｒｙは、開始ピクチャアドレスと記録大きさ情報だけを含めたり、一つ以上の連関されたオーディオデータ（静止画像に連関されたオーディオがある場合）の記録大きさとオーディオ再生時間情報ａｕｄｉｏ＿ｎ＿ＰＢ＿ｔｉｍｅをさらに含めることもできる。
【００４７】
したがって、制御部１９は、再生リストに含まれた複数のプレーアイテム中の一つのプレーアイテムがプレゼンテーションのために選ばれれば、それに連結されている静止画像情報のファイルを特定した後に、その静止画像情報に記録されているエントリーに対するアクセス情報を利用してデータオブジェクト、すなわち、静止画像及び／またはオーディオデータを探してプレゼンテーションできる。このときのデータオブジェクトの検索はファイル名を用いないで直接アドレスを利用するので装置が採択しているファイルシステムに従属されないという有利な点がある。
【００４８】
参考までに、本発明による静止画像記録方法は、図３のように構成される光ディスク装置以外のまた他の構成手段で構成される光ディスク装置により具現されることもできる。
【００４９】
以上、前述した本発明の望ましい実施形態は、例示の目的のために開示されたものであって、当業者ならば添付された特許請求範囲に開示された本発明の技術的思想とその技術的範囲内で、多様な他の実施形態を改良、変更、代替または付加などが可能である。
【図面の簡単な説明】
【００５０】
【図１】一般的なデジタルスチルカメラが採択しているファイルシステムを例示的に示した図である。
【図２】デジタルビデオレコーダが採択しているＤＶＲディレクトリ及びファイルシステム構造を例示的に示した図である。
【図３】本発明による再記録可能記録媒体の静止画像記録方法が適用される光ディスク装置に対する構成を示した図である。
【図４】本発明の第１実施形態による静止画像記録過程と、それによって記録管理される管理情報を示した図である。
【図５】本発明の第１実施形態による静止画像記録過程と、それによって記録管理される管理情報を示した図である。
【図６】本発明の第１実施形態による静止画像記録過程と、それによって記録管理される管理情報を示した図である。
【図７】本発明の第２実施形態による静止画像記録過程と、それによって記録管理される管理情報を示したものである。
【図８】本発明の第２実施形態による静止画像記録過程と、それによって記録管理される管理情報を示したものである。
【図９】本発明の第２実施形態による静止画像記録過程と、それによって記録管理される管理情報を示したものである。
【図１０】本発明の第２実施形態による静止画像記録過程と、それによって記録管理される管理情報を示したものである。
【符号の説明】
【００５１】
１０、１１、３０、３１…スイッチ、１２…静止画像ビデオエンコーダ部、１３…静止画像オーディオエンコーダ部、１４…動画ビデオエンコーダ部、１５…動画オーディオエンコーダ部、１６…多重化装置（ＭＵＸ）、１７…フォーマット構成部、１８…ＤＶＲエンコーダ信号処理部、１９…制御部、３２…静止画像ビデオデコーダ部、３３…静止画像オーディオデコーダ部、３４…動画ビデオデコーダ部、３５…動画オーディオデコーダ部、３６…多重分離装置（Ｄｅ−ＭＵＸ）、３７…パーサ、３８…ＤＶＲデコーダ信号処理部。
【図１】
2008005513.tif 000003
【図２】
2008005513.tif 000004
【図３】
2008005513.tif 000005
【図４】
2008005513.tif 000006
【図５】
2008005513.tif 000007
【図６】
2008005513.tif 000008
【図７】
2008005513.tif 000009
【図８】
2008005513.tif 000010
【図９】
2008005513.tif 000011
【図１０】
2008005513.tif 000012